(57)【要約】【課題】部材を連結して配電線路設備の配設状況に適合するカバーを構成し、取付け・取外し作業を容易、かつ、安全に行えるようにする。【解決手段】配電線路設備を覆うこととなる開閉可能な略筒状の複数のカバー部材からなるカバー本体と、カバー本体を開閉操作するためのつまみと、を有し、カバー部材は、対をなす略樋状の第一カバー部（１１）および第二カバー部（１２）と、その一側端に設けられ、第一カバー部と第二カバー部とを開閉自在に連結するヒンジ部（１３）と、第一カバー部および第二カバー部の端部に設けられ、他のカバー部材を連結するための連結部（１５，１６）と、を備え、つまみは、第一カバー部および第二カバー部の外側に、ヒンジ部を挟んで対向した状態で着脱可能に取り付けられており、かつ、ヒンジ部と連係して第一カバー部と第二カバー部を閉じる方向に付勢する付勢手段（５５）を有している。【選択図】図２
2013143795.tif 000002
【特許請求の範囲】
【請求項１】
配電線（１０１）や配電線を電柱（９０）に引き留めるための引留め具（９２，９３，９４）等の配電線路設備を保護するために一時的に取り付けられる配電線路用絶縁カバー（１，２，３）であって、
配電線路設備を覆うこととなる開閉可能な略筒状の複数のカバー部材（Ａ，Ｂ，Ｂｚ）からなるカバー本体（１０，２０，３０）と、該カバー本体を開閉操作するためのつまみ（Ｘ，Ｙ）と、を有し、
前記カバー部材は、対をなす略樋状の第一カバー部（１１）および第二カバー部（１２）と、該第一カバー部および第二カバー部の一側端に設けられ、第一カバー部と第二カバー部とを開閉自在に連結するヒンジ部（１３）と、前記第一カバー部および第二カバー部の端部に設けられ、他のカバー部材を連結するための連結部（１５，１６）と、を備え、
前記つまみは、前記第一カバー部および第二カバー部の外側に、前記ヒンジ部を挟んで対向した状態で着脱可能に取り付けられており、かつ、前記ヒンジ部と連係して第一カバー部と第二カバー部を閉じる方向に付勢する付勢手段（５５）を有している、ことを特徴とする配電線路用絶縁カバー。
【請求項２】
前記カバー部材（Ａ，Ｂ，Ｂｚ）は、前記ヒンジ部（１３）の両側に該ヒンジ部と略平行な係止溝（１７）を有し、
前記つまみ（Ｘ，Ｙ）は、該係止溝に移動可能に取り付けられる、ことを特徴とする請求項１に記載の配電線路用絶縁カバー。
【請求項３】
前記つまみ（Ｘ，Ｙ）は、前記付勢手段である弾性部材（５５）と、該弾性部材が架設される対向する２枚の摘み板（５１，５１ｙ）と、からなり、
該摘み板は、前記活線工具により把持される把持部（５３）と、前記係止溝に係止される基部（５２）と、からなることを特徴とする請求項２に記載の配電線路用絶縁カバー。
【請求項４】
前記摘み板（５１，５１ｙ）は、前記把持部（５３）の側端部に屈曲して側方に延設した屈曲部（５４ｙ）をさらに有する、ことを特徴とする請求項３に記載の配電線路用臨時絶縁カバー。
【請求項５】
前記カバー部材（Ｂ，Ｂｚ）は、縁回し線（１０２）を通すための切欠き部または孔である縁線用通線部（１８，１９）が形成されている、ことを特徴とする請求項１乃至５に記載の配電線路用臨時絶縁カバー。
【請求項６】
前記配電線路用臨時絶縁カバー（２，３）は、前記カバー本体（２０，３０）の端部に開口部を覆う端部カバー（Ｃ，Ｄ）をさらに備えた、ことを特徴とする請求項１乃至６に記載の配電線路用臨時絶縁カバー。
【発明の詳細な説明】
【技術分野】
【０００１】
本発明は、配電線や配電線の引留め具等の配電線路設備を保護するために一時的に取り付けられる絶縁カバーに係り、特に保護の対象となる配電線路設備の配設状況に合わせて構成することができる配電線路用臨時絶縁カバーに関する。
【背景技術】
【０００２】
従来、配電線路付近で構造物建設工事やクレーン車による作業等が行われる際には、配電線や配電線路に設けられた碍子、クランプ等の機器（以下、これらを配電線路設備という）に、臨時にカバー等が取り付けられる。これは作業中に配電線路設備に接触してしまうことがないよう注意を喚起するとともに、誤って接触してしまった場合でも配電線路設備を保護し、工事等を行う作業者の感電事故を防ぐためである。
【０００３】
配電線路設備の配設状況は設備箇所によって異なるため、従来より絶縁シート等がカバーとして用いられており、例えば配電線路設備を絶縁シートで覆ったのちに、絶縁テープを巻きつけたりクリップで挟んだりして、絶縁シートを配電線路設備に止着している。ここで、配電線路設備はその形状が複雑であり、すぐ近くに他の配電線路の配電線路設備が配設されていることも多いため、絶縁シート等を活線工具で取り付けることが困難であることが多かった。そのため、絶縁テープを巻きつけたり、外したりする際には、高圧ゴム手袋をして配電線路へ直接取り付けたり、取り外したりするのが実情であった。しかし、作業者が高圧の充電部に接近して作業するため感電事故が発生する危険があり、また、雨天時には作業ができないなどの制約があった。
【０００４】
また、絶縁シートをクリップで止着する場合であっても、活線工具を用いて配電線路設備を覆うのは難しく、絶縁シートを上手く巻きつけることができないと、風に煽られてクリップが外れ絶縁シートが落下する危険性があった。
なお、恒常的に配電線路に取り付けるカバーや防具等は、臨時使用のために構成されたものではないので、配電線路からの取り外しが困難であった。
【０００５】
配電線路用臨時絶縁カバーについては、例えば、特許文献１の特開２０１０−６７４０３号「防護カバー」などが提案されている。この防護カバーは、碍子等の配電線設備部品から延びる電線部品周りを覆う防護カバーであって、開閉自在に嵌合する２つのパーツからなり、電線部品や絶縁用防護具等を収容する収容空間や電線等の抜出孔が設けられたものである。電線部品や絶縁用防護具等が複雑に配置された箇所であっても、簡単且つ確実に取り付けることができるようになっている。
【先行技術文献】
【特許文献】
【０００６】
【特許文献１】特開２０１０−６７４０３号公報
【発明の概要】
【発明が解決しようとする課題】
【０００７】
しかし、防護対象となる設備箇所によって碍子の個数や絶縁支持具の配設状況が異なるため、設備箇所の状況に合わせた防護カバーを使用する必要があるが、上記「防護カバー」では汎用性がないという問題があった。また、本体に多数設けられた嵌合部を間接活線把持具により順次嵌合して取り付けなければならず、手間の掛かる細かい作業となり、作業者の負担が大きかった。
【０００８】
本発明は、上述した問題点を解決するために提案されたものである。すなわち本発明の目的は、配電線路設備の配設状況、設置環境等に適合させることができ、配電線路への取付け・取外し作業を容易に、かつ、安全に行なうことができる配電線路用臨時絶縁カバーを提供することにある。
【課題を解決するための手段】
【０００９】
上記の目的を達成するための本発明の配電線路用臨時絶縁カバーは、配電線（１０１）や配電線を電柱（９０）に引き留めるための引留め具（９２，９３，９４）等の配電線路設備を保護するために一時的に取り付けられる配電線路用絶縁カバー（１，２，３）であって、配電線路設備を覆うこととなる開閉可能な略筒状の複数のカバー部材（Ａ，Ｂ，Ｂｚ）からなるカバー本体（１０，２０，３０）と、該カバー本体を開閉操作するためのつまみ（Ｘ，Ｙ）と、を有し、前記カバー部材は、対をなす略樋状の第一カバー部（１１）および第二カバー部（１２）と、該第一カバー部および第二カバー部の一側端に設けられ、第一カバー部と第二カバー部とを開閉自在に連結するヒンジ部（１３）と、前記第一カバー部および第二カバー部の端部に設けられ、他のカバー部材を連結するための連結部（１５，１６）と、を備え、前記つまみは、前記第一カバー部および第二カバー部の外側に、前記ヒンジ部を挟んで対向した状態で着脱可能に取り付けられており、かつ、前記ヒンジ部と連係して第一カバー部と第二カバー部を閉じる方向に付勢する付勢手段（５５）を有している、ことを特徴とする。
【００１０】
前記カバー部材（Ａ，Ｂ，Ｂｚ）は、前記ヒンジ部（１３）の両側に該ヒンジ部と略平行な係止溝（１７）を有し、前記つまみ（Ｘ，Ｙ）は、該係止溝に移動可能に取り付けられるように構成してもよい。前記つまみ（Ｘ，Ｙ）は、前記付勢手段である弾性部材（５５）と、該弾性部材が架設される対向する２枚の摘み板（５１，５１ｙ）と、からなり、該摘み板は、前記活線工具により把持される把持部（５３，５４）と、前記係止溝に係止される基部（５２）と、からなるものとしてもよい。さらに、前記摘み板（５１，５１ｙ）は、前記把持部（５３）の側端部に屈曲して側方に延設した屈曲部（５４ｙ）をさらに有するものでもよい。
【００１１】
前記カバー部材（Ｂ，Ｂｚ）は、縁回し線（１０２）を通すための切欠き部または孔である縁線用通線部（１８，１９）が形成されているものとすることもできる。
また、前記配電線路用臨時絶縁カバー（２，３）は、前記カバー本体（２０，３０）の端部に開口部を覆う端部カバー（Ｃ，Ｄ）をさらに備えてもよい。
【発明の効果】
【００１２】
本発明の配電線路用臨時絶縁カバー（１，２，３）は、カバー部材（Ａ，Ｂ，Ｂｚ，Ｃ，Ｄ）を組み合わせてカバー本体（１０，２０，３０）を構成するので、保護対象となる配電線路（１００）の配電線路設備の配設状況に合わせて構成することができ、汎用性がある。また、つまみ（Ｘ，Ｙ）をカバー本体（１０，２０，３０）に着脱可能に取り付けるので、カバー本体（１０，２０，３０）の構成や配電線路設備の配設状況に合わせて配設することができる。
活線工具等でつまみ（Ｘ，Ｙ）を摘むことにより、配電線路（１００）への取付け・取外し作業が容易にできるので、作業時間の大幅な短縮が可能であり、作業者の負担を軽減し、作業者の安全を確保することもできる。配電線路用臨時絶縁カバー（１，２，３）は配電線路（１００）へ着脱可能に取り付けられ、各カバー部材（Ａ，Ｂ，Ｂｚ，Ｃ，Ｄ）も着脱可能に連結されるので、再利用が可能であり環境にやさしく経済的である。
【００１３】
つまみ（Ｘ，Ｙ）をカバー部材（Ａ，Ｂ，Ｂｚ，Ｄ）に移動可能に配設するよう構成すれば、配電線路設備の配設状況だけでなく、周りの他の配電線や配電設備等の状態、作業者の作業位置等に合わせてつまみ（Ｘ，Ｙ）を所望の位置とした配電線路用臨時絶縁カバー（１，２，３）とすることができる。
つまみ（Ｘ，Ｙ）を摘むための把持部（５３）を、屈曲部（５４ｙ）を有するものとすれば、活線工具等でより多くの方向、角度から把持することが可能となり、配電線路（１００）への取付け・取外し作業をより簡単に行うことができるようになる。
【図面の簡単な説明】
【００１４】
【図１】実施例１の配電線路用臨時絶縁カバーを取り付けた状態を示す概略正面図である。
【図２】実施例１の配電線路用臨時絶縁カバーを構成するカバー部材ＡとつまみＸの分解斜視図である。
【図３】実施例１の配電線路用臨時絶縁カバーのカバー部材ＡにつまみＸを取り付けた状態を示す概略図であり、（ａ）は平面図、（ｂ）は正面図である。
【図４】図３（ｂ）のＳ−Ｓ部分の概略断面図であり、（ａ）はカバー部材Ａを閉じた状態、（ｂ）はカバー部材Ａを開いた状態を示す。
【図５】実施例１の配電線路用臨時絶縁カバーのカバー部材Ｂを示す概略図であり、（ａ）は斜視図、（ｂ）は平面図である。
【図６】実施例２の配電線路用臨時絶縁カバーを取り付けた状態を示す概略正面図である。
【図７】実施例２の配電線路用臨時絶縁カバーの両端側に連結されるカバー部材を示す斜視図であり、（ａ）は電柱側Ｐに連結されるカバー部材Ｃ、（ｂ）は架線側Ｗに連結されるカバー部材Ｄである。
【図８】実施例２の配電線路用臨時絶縁カバーのつまみＹを示す概略図であり、（ａ）は斜視図、（ｂ）は平面図、（ｃ）は背面図である。
【図９】実施例３の配電線路用臨時絶縁カバーを取り付けた状態を示す概略正面図である。
【図１０】実施例３の配電線路用臨時絶縁カバーのカバー部材Ｂｚを示す概略図であり、（ａ）は斜視図、（ｂ）は底面図である。
【発明を実施するための形態】
【００１５】
本発明の配電線路用臨時絶縁カバーは、部材を連結することにより配電線路設備の配設状況等に適合するように構成できるものである。以下、本発明の配電線路用臨時絶縁カバーの実施の形態を、図面に基づいて説明する。
【実施例１】
【００１６】
図１は、配電線路１００の腕金９１の片側（左側）部分に実施例１の配電線路用臨時絶縁カバー１を取り付けた状態を示す概略正面図であり、配電線１０１の張設方向に対して垂直に横方向から視認した状態を示す。なお、以下、配電線路１００において、腕金９１に近い方向を電柱側Ｐ（図１における配電線路用臨時絶縁カバー１の右側）と、その逆方向を架線側Ｗ（図１における配電線路用臨時絶縁カバー１の左側）という。
図１に示す配電線路１００の配電線１０１は、腕金９１の左右に対称的に配置された、引留クランプ９２とそれに連設された２つの耐張碍子９３により、絶縁した状態で電柱９０に引き留められている。また、配電線１０１の縁回し線部分１０２は引留クランプ９２から腕金９１の上側に設けられたピン碍子９４を介して電柱９０に保持されている。
【００１７】
本発明の実施例１の配電線路用臨時絶縁カバー１は、図１に示す配電線路１００の配電線路設備の配設状況に合わせて構成されたものである。２つの耐張碍子９３、それぞれをカバーする２つのカバー部材Ａ（Ａ１，Ａ２）と、１つの引留クランプ９２をカバーする１つのカバー部材Ｂを連結してなるカバー本体１０と、カバー本体１０を配電線路設備に着脱する際に用いられる２つのつまみＸ（Ｘａ，Ｘｂ）とから構成されている。これらの部材（Ａ，Ｂ，Ｘ）は樹脂やゴム等の絶縁素材でできている。以下、配電線路用臨時絶縁カバー１の各構成要素について図面を用いて説明する。
【００１８】
図２は、実施例１の配電線路用臨時絶縁カバー１を構成するカバー部材ＡとつまみＸの分解斜視図であり、架線側Ｗ斜め上方から視認した状態を示す。また、図３は、カバー部材ＡにつまみＸを取り付けた状態を示す概略図であり、（ａ）は平面図、（ｂ）は正面図である。図４は、図３（ｂ）のＳ−Ｓ部分の概略断面図であり、（ａ）はカバー部材Ａを閉じた状態、（ｂ）はカバー部材Ａを開いた状態を示す。
カバー部材Ａは、図２に示すように、対向する２面を分断するように、中空の略正八角柱状部材を長さ方向に平行に２分割した、一対の略樋状の第一カバー部１１と第二カバー部１２とからなる。第一カバー部１１と第二カバー部１２の一側端は、ヒンジ部１３を介して開閉自在に連結されている。また、ヒンジ部１３の反対側である自由側端部１４の、第一カバー部１１と第二カバー部１２が接触する面は、それぞれ凹状と凸状に形成され、噛み合うようになっている。カバー部材Ａの長さは、保護対象とする耐張碍子９３の配設時の水平方向の長さと略同じである。
【００１９】
第一カバー部１１及び第二カバー部１２の架線側Ｗの端面の略正八角形の各頂点部分には、連結用突起部１５が設けられ、電柱側Ｐの側面の略正八角形の各頂点部分には、連結用嵌合穴１６が設けられている。連結用突起部１５は、カバー部材Ａの側面から長さ方向に突出するように形成された略円柱状の突起であり、その周壁の略中央部分に周方向に沿って設けられたリング状の凸部αを有している。
【００２０】
連結用嵌合穴１６は、カバー部材Ａの端面に長さ方向に形成された略円柱状の穴である。連結用嵌合穴１６の径は連結用突起部１５の径より僅かに大きく、連結用嵌合穴１６の長さは連結用突起部１５の長さより若干長く形成されている。連結用嵌合穴１６の周壁には、連結用突起部１５の凸部αが嵌脱自在に係止されるように、略中央部分に周方向に沿って設けられたリング状の凹部βが形成されている。これらの連結用突起部１５や連結用嵌合穴１６は、後述する他のカバー部材（Ｂ，Ｂｚ，Ｃ，Ｄ）にも形成されており、このような連結部により各カバー部材（Ａ，Ｂ，Ｂｚ，Ｃ，Ｄ）が着脱自在に連結される。
【００２１】
図２，３に示すように、第一カバー部１１と第二カバー部１２の鉛直方向上側の側壁面には、ヒンジ部１３を挟むように平行に、係止溝１７が設けられている。係止溝１７は、図４に示すようにその断面が略凸形状の溝である。また、図３に示すように、第一カバー部１１及び第二カバー部１２の一方の端面から他方の端面まで突き抜けるように直線的に設けられている。これらの係止溝１７は、後述するつまみＸの基部５２を係止するものである。
【００２２】
つまみＸは、図２〜４に示すように、対向する２枚の略板状の摘み板５１と、これらの対向している面の略中央部分に水平に架設される板ばね５５とからなる。板ばね５５は、断面が円弧状の湾曲した板状部材であり、摘み板５１に係止される両側部分に対してその中央部分が鉛直方向下側となるように配設される。
摘み板５１は、活線工具（図示せず）で把持される上側の把持部５３と、係止溝１７に嵌入され係止される下側の基部５２とからなる。摘み板５１の把持部５３の長手方向に垂直な断面は略平行四辺形であり、基部５２の長手方向に垂直な断面は略凸形状である。２枚の摘み板５１は、基部５２側の間隔が狭くなるように傾斜して配設されている。
【００２３】
図４に示すように、つまみＸの略凸形状の基部５２は、カバー部材Ａの係止溝１７の溝よりも僅かに小さく形成されている。また、係止溝１７はカバー部材Ａの長さ方向にレールのように設けられているので、つまみＸはカバー部材Ａの係止溝１７に着脱可能、かつ、移動可能に係止され、係止溝１７の所望の位置に配設することができる。なお、図示しないが、所望の位置で確実に係止するために、基部５２の両側壁と係止溝１７の両側壁には、鋸の歯のような波形形状部分が形成され、噛み合うようになっている。
このように、カバー部材ＡにつまみＸを取り付けることで、つまみＸとヒンジ部１３とが連係してカバー部材Ａの自由側端部１４を開閉可能とする。つまみＸの把持部５３を摘んでカバー部材Ａの自由側端部１４を開口し、その中空部分に配電線路設備を入れて囲うことで、配電線路設備を保護することができる。
【００２４】
図５は、実施例１の配電線路用臨時絶縁カバー１のカバー部材Ｂを示す概略図であり、（ａ）は電柱側Ｐ斜め上方から視認した状態を示す斜視図、（ｂ）は平面図である。
カバー部材Ｂは、カバー部材Ａと略同様の構成であるが、その長手方向の長さと、ヒンジ部１３の一端側の構造が異なっている。以下、カバー部材Ａと同様の形状、構造については、同様の符号を付す等して重複する説明を省略し異なる部分についてのみ説明する。
カバー部材Ｂは、引留クランプ９２用のカバーであるため、長さ方向の長さが引留クランプ９２の配設時の水平方向の長さと略同じ長さであり、カバー部材Ａよりも長くなっている。また、配電線１０１の縁回し線部分１０２（図１参照）を通すために、ヒンジ部１３の電柱側Ｐの端部を切り欠くように縁線用切欠部１８が設けられている。なお、第一カバー部１１と第二カバー部１２の各係止溝１７は切り欠かれることなく、カバー部材Ａと同様架線側Ｗ端部から電柱側Ｐ端部まで直線状に形成されている。
【００２５】
ここで、実施例１の配電線路用臨時絶縁カバー１の取付け方法及び取外し方法について説明する。図１に示すように、配電線１０１は、２つの耐張碍子９３と１つの引留クランプ９２により電柱９０に支持されている。これらの配電線路設備は、後述するように、２つのカバー部材Ａ（Ａ１，Ａ２）とカバー部材Ｂとを連結したカバー本体１０によって保護される。
まず、作業者は耐張碍子９３をカバーするカバー部材Ａを２つ（Ａ１，Ａ２）と引留クランプ９２をカバーするカバー部材Ｂを１つとつまみＸを２つ（Ｘａ，Ｘｂ）用意する。
【００２６】
次に、カバー部材Ａ１の連結用突起部１５をカバー部材Ａ２の連結用嵌合穴１６に、カバー部材Ａ１，Ａ２のヒンジ部１３が同一直線上にくるように嵌め入れて連結し、カバー本体１０の一部を作る。そして、連結したカバー部材Ａ１，Ａ２（以下、Ａ１＋Ａ２と表す）の端部から係止溝１７につまみＸ（Ｘａ）を１つ嵌め込んで取り付ける。ここで、連結されたカバー部材Ａ１＋Ａ２の係止溝１７は、それぞれ一本のレールのように繋がっているので、つまみＸは、このレール上の任意の位置に配設することができる。カバー部材Ｂの係止溝１７にも同様につまみＸ（Ｘｂ）を１つ配設する。
【００２７】
このような状態にした後に、活線工具（図示せず）により連結したカバー部材Ａ１＋Ａ２に配設したつまみＸ（Ｘａ）を把持して、第一カバー部１１と第二カバー部１２の自由側端部１４側を開口させ、連結用突起部１５が架線側Ｗとなるように、配電線路１００の２つの耐張碍子９３を覆う。さらに、カバー部材Ｂに取り付けたつまみＸ（Ｘｂ）を把持して、第一カバー部１１と第二カバー部１２の自由側端部１４側を開口させ、連結用嵌合穴１６が電柱側Ｐとなるように、配電線路１００の引留クランプ９２を覆う。
【００２８】
そして、２本の活線工具を使用して、それぞれ連結したカバー部材Ａ１＋Ａ２の側面とカバー部材Ｂの側面を把持し、カバー部材Ｂの連結用嵌合穴１６に、カバー部材Ａ２の連結用突起部１５を嵌め、カバー本体１０を完成させる。この際、図１に示すように引留クランプ９２による縁回し線１０２が、カバー部材Ｂの縁線用切欠部１８を抜け出るようにする。
【００２９】
このようにして、図１に示すように、２つのカバー部材Ａ１，Ａ２とカバー部材Ｂとからなるカバー本体１０により、配電線路設備を保護することができる。上述の場合、２つのカバー部材Ａ１，Ａ２を予め連結しておくことによって、全体としてつまみＸを２つ使用すればカバー本体１０を配電線路１００に取り付けることができる。なお、取り外す際には上述した取付け作業と反対の工程で作業を行なえばよい。
【００３０】
実施例１の配電線路用臨時絶縁カバー１によれば、カバー本体１０を構成するカバー部材Ａ，Ｂとこれに着脱可能に配設されるつまみＸとを組み合わせることにより、保護する配電線路設備の配設状況に合った配電線路用臨時絶縁カバー１を構成することができる。
実施例１の配電線路設備のように引留クランプ９２による縁回し線１０２がある場合には、カバー本体１０を２つに分割（カバー部材Ａ１＋Ａ２とカバー部材Ｂとに分割）した状態で、別々に配電線路１００へ取り付けて、保護対象を囲うことができる。また、例えば、耐張碍子が３つ、引留クランプが１つ連設されている場合には、３つのカバー部材Ａと１つのカバー部材Ｂでカバー本体１０を構成すればよい。このように配電線路用臨時絶縁カバー１は汎用性があり、様々な配電線路設備を確実に保護することができる。
【００３１】
つまみＸは着脱可能に配設されるので、前述のように、連結したカバー部材Ａ１＋Ａ２につまみＸ（Ｘａ）を１つだけ配設し、２つのカバー部材（Ａ１，Ａ２）を一度に配電線路１００に取り付けられるように構成することができる。また、もしカバー部材Ａ１，Ａ２を予め連結して長くすることによって、設置時に周りの他の配電線等に接触してしまう虞等のある場合には、カバー部材Ａ１，Ａ２それぞれにつまみＸを配設して、別々に取り付けることも可能である。
配電線路設備の配設状況に合わせるだけでなく、取り付ける際の作業利便性や周りの他の配電線や配電設備等の状態（以下、設置環境という）も考慮して部材を選択し組み合わせて、配電線路用臨時絶縁カバー１を構成することができる。
【００３２】
さらに、配電線路用臨時絶縁カバー１によれば、カバー部材Ａ，Ｂに取り付けたつまみＸを活線工具で操作することにより、配電線路１００に対して３６０度、どの方向からでもワンタッチで取付け・取外しができる。よって、作業時間の大幅な短縮が可能となり経済的であり、作業者の負担も軽減される。また、活線工具を使用するので、雨天時の作業も可能である。配電線１０１の皮膜に劣化した部分や傷等があっても絶縁素材からなるので、取付け・取外しを行う作業者や近傍で作業する工事関係者等の安全を確保することもできる。
【００３３】
また、つまみＸはカバー部材Ａ，Ｂに移動可能に配設されるので、配電線路用臨時絶縁カバー１を、設置環境等により合わせた構成とすることができる。
カバー部材Ａ，Ｂには、長さ方向にレールのような取付溝１７が形成されており、カバー部材Ａ１，Ａ２はその取付溝１７が一直線となるように連結されている。よって、つまみＸ（Ｘａ，Ｘｂ）を、連結したカバー部材Ａ１＋Ａ２の一直線状となった取付溝１７やカバー部材Ｂの取付溝１７の所望の位置に移動させることが可能である。つまみＸ（Ｘａ，Ｘｂ）を、設置環境や作業者の作業位置に合わせて、所望の位置に配設して作業することができる。
【００３４】
そして、連結したカバー部材Ａ１＋Ａ２は、カバー部材Ｂと連結する際に、つまみＸ（Ｘａ）が図１の配電線路用臨時絶縁カバー１のように、カバー部材ＢのつまみＸ（Ｘｂ）と同じ上側にくるようにする必要はない。カバー部材Ａ，Ｂには、同一円周上に等間隔に連結用突起１５及び連結用嵌合穴１６が形成されている。よって、風や工事の振動等によって配電線１０１が揺れても、つまみＸ（Ｘａ）が周りの他の配電線１０１等に触れることのないよう、設置環境に合わせて連結することが可能である。
このように配電線路用臨時絶縁カバー１によれば、作業現場で、配電線路設備の配設状況、設置環境、作業者の作業位置等を考慮して組み立てることができる。分解した状態で運搬や保管ができるので、経済的である。また、配電線路用臨時絶縁カバー１によれば、本体カバー部１０とつまみＸが一体となるため、配電線路１００から外れる虞が少ない。配電線路用臨時絶縁カバー１は容易に取り外すことができ、各部材（Ａ，Ｂ，Ｘ）を再利用可能することができる。
【００３５】
配電線路用臨時絶縁カバー１の各部材の形状、大きさ、構成等は、上述した実施例に限られない。
例えば、本実施例のカバー部材Ａ，Ｂは略正八角柱状であるがこれに限らず、配電線路設備を囲み保護できる形状であればよい。カバー部材Ａ（Ａ１，Ａ２），Ｂを連結する連結部（連結用突起部１５、連結用嵌合穴１６）も、カバー部材Ａ（Ａ１，Ａ２），Ｂが着脱可能に連結でき、自由側端部１４側を開口しても外れないものであればよい。板ばね５５もねじりコイルばね等他の弾性部材でもよい。
また、カバー部材Ａ、カバー部材Ｂはそれぞれ耐張碍子９３、引留クランプ９２に対応した大きさ、長さとなっているが、これらに限られず、開口部があることを考慮して長さ方向を若干長くしたカバー部材や、腕金９１やピン碍子９４等の他の配電線路設備に対応したカバー部材等用いて、カバー本体１０を構成することもできる。
【００３６】
配電線路用臨時絶縁カバー１のカバー部材Ｂには、ヒンジ部１３の一端側を切り欠くように縁線用切欠部１８を１つ設けているが、この位置に限らない。他の１つの側壁面の電柱側Ｐ周縁部に設けてもよいし、複数の側壁面に設けてもよい。縁線用切欠部１８を複数設ければ、いずれかの縁線用切欠部１８に縁回し線１０２を通すことができる。よって、図１のように、必ずしもカバー部材ＢのつまみＸ（Ｘｂ）が上側になるようにカバー部材（Ａ１，Ａ２）を連結する必要がなく、作業者は設置環境等に合わせたり、作業しやすい向きに連結したりすることができる。
【００３７】
つまみＸと係止溝１７の形状、大きさ、構成等も上述したものに限られず、弾性部材５５とヒンジ部１３とが連係してカバー本体１０を開閉できればよい。また、つまみＸを係止溝１７の所望の位置で係止するための構成も、上述の構造に限らない。
【００３８】
配電線路用臨時絶縁カバー１はカバー本体１０の略中央部分に縁回し線１０２を挟み込むことにより、保護対象の配電線路設備から移動してしまうことを防ぐことができるが、カバー部材Ａの内壁面に突起等を設けて、移動をより確実に防ぐようにしてもよい。また、縁回し線１０２や配電線１０１は、カバー部材Ａ等やつまみＸを小型化した部材（図示せず）により同様に保護することができる。なお、カバー本体１０は雨水がたまらないような構造を備えることが望ましい。
【実施例２】
【００３９】
図６は、配電線路１００の腕金９１の片側（左側）部分に実施例２の配電線路用臨時絶縁カバー２を取り付けた状態を示す概略正面図である。
図６に示すように、配電線路１００の構成は実施例１と同様である。しかし、実施例２の配電線路用臨時絶縁カバー２には、実施例１の配電線路用臨時絶縁カバー１の長さ方向の両端部に、略正八角形状の開口部を覆うように、電柱側Ｐをカバーするカバー部材Ｃと架線側Ｗをカバーするカバー部材Ｄが設けられている。また、実施例２のつまみＹは、実施例１のつまみＸと一部形状が異なっている。以下、実施例１の配電線路用臨時絶縁カバー１と同様の形状、構造については、同様の符号を付す等して重複する説明を省略し、異なる部分についてのみ説明する。
【００４０】
図７は、実施例２の配電線路用臨時絶縁カバー２の端部に連結するカバー部材を、架線側Ｗ斜め上方から視認した状態を示す斜視図であり、（ａ）は電柱側Ｐに連結されるカバー部材Ｃ、（ｂ）は架線側Ｗに連結されるカバー部材Ｄである。
電柱側Ｐの開口部をカバーするカバー部材Ｃは、図６、図７（ａ）に示すように、略正八角形状の板状部材を、対向する２辺を分断するように２分割した第一カバー部２１ｃと第二カバー部２２ｃとからなり、カバー部材Ａ，Ｂと同様にヒンジ部１３により連結され、自由側端部１４の接触面は噛み合うように構成されている。さらに、第一カバー部２１ｃと第二カバー部２２ｃとを合わせた略正八角形の板状部材の中央部には、配電線１０１を通すための挿通孔２９が設けられている。
【００４１】
挿通孔２９は、配電線１０１の径よりも大きい略正八角形状の孔であり、その内壁部分には弾性部材２９´が貼着されており、弾性部材２９´により略円形の孔が形成されている。この弾性部材２９´は、配電線１０１の揺れを吸収するクッション部材である。
なお、第一カバー部２１ｃと第二カバー部２２ｃには、係止溝１７は設けられていない。また、このカバー部材Ｃは、配電線路用臨時絶縁カバー２の電柱側Ｐ端部に連結されるものであるので、連結用嵌合穴１６は設けられず、連結用突起部１５のみが正八角形の頂点部分に設けられている。
【００４２】
架線側Ｗの開口部をカバーするカバー部材Ｄは、図６、図７（ｂ）に示すように、中空の略正八角柱の架線側Ｗをテーパー状に延設して中空の略正八角錐台とした、中空の略正八角ドーム形状の部材である。対向する２面を分断するように長さ方向に平行に２分割した第一カバー部２１ｄ及び第二カバー部２２ｄとからなり、カバー部材Ａ等と同様に、柱状部分の一側端には設けられたヒンジ部１３によって連結されている。また、第一カバー部２１ｄと第二カバー部２２ｄの錐台の上底中央部には、カバー部材Ｃと同様に配電線１０１を通すための挿通孔２９が設けられている。この挿通孔２９は、前述したカバー部材Ｃと同様の構成であるので、説明は省略する。
【００４３】
第一カバー部２１ｄと第二カバー部２２ｄに設けられた係止溝１７は、電柱側Ｐから柱状部分の長さ方向の略３分の２の位置まで設けられている。また、このカバー部材Ｄは、配電線路用臨時絶縁カバー２の架線側Ｗ端部に連結されるものであるので、連結用嵌合穴１６のみが設けられている。
【００４４】
図８は、実施例２の配電線路用臨時絶縁カバー２のつまみＹを示す概略図であり、（ａ）は架線側Ｗ斜め上方から視認した状態を示す斜視図、（ｂ）は平面図、（ｃ）は背面図である。
実施例２のつまみＹ（Ｙａ，Ｙｂ）は、実施例１のつまみＸと、摘み板５１の活線工具で把持する部分の形状が異なる。図８に示すように、つまみＹの摘み板５１ｙは、把持部５３に、さらにその両側端部を屈曲するようにして側方に延ばした屈曲部５４ｙを形成した屈曲把持部５４を有している。また、２枚の摘み板５１ｙにおいて、対向する２組の屈曲部５４ｙは、それぞれ水平方向の切断面の中心線が平行になるように、かつ、基部５２側の間隔が狭くなるように傾斜して形成されている。なお、屈曲部５４ｙの屈曲方向側の摘み板５１ｙの把持部５３は、もう一方の摘み板５１ｙの把持部５３よりも長さが若干短くなっている。
【００４５】
ここで、実施例２の配電線路用臨時絶縁カバー２の取付方法及び取外方法について説明する。図６に示すように、実施例２の配電線路１００も、実施例１と同様、２つの耐張碍子９３と１つの引留クランプ９２により電柱９０に支持されている。
まず、作業者は耐張碍子９３をカバーするカバー部材Ａ２つと引留クランプ９２をカバーするカバー部材Ｂ１つとつまみＹ２つ（Ｙａ，Ｙｂ）の他に、カバー部材Ｃとカバー部材Ｄを１つずつ用意する。
【００４６】
次に、カバー部材Ｃとカバー部材Ａ１とカバー部材Ａ２とを連結し、配電線路用臨時絶縁カバー２のカバー本体２０の一端側（一部）を作り、つまみＹ（Ｙａ）を取り付ける。さらに、カバー部材Ｂとカバー部材Ｄを連結して、配電線路用臨時絶縁カバー２のカバー本体２０の他端側（一部）を作り、つまみＹ（Ｙｂ）を取り付ける。
【００４７】
このような状態にした後に、配電線路用臨時絶縁カバー１の場合と同様に、連結した各カバー部材（カバー部材Ｃ＋Ａ１＋Ａ２，カバー部材Ｂ＋Ｄ）を、保護対象とする配電線路１００の配電設備を覆うように取り付ける。そして、各連結したカバー部材（Ｃ＋Ａ１＋Ａ２，Ｂ＋Ｄ）を、縁回し線１０２が縁線用切欠部１８を通るように連結し、２つのカバー部材Ａ（カバー部材Ａ１，Ａ２）、カバー部材Ｂ、カバー部材Ｃ、カバー部材Ｄからなるカバー本体２０を完成させる。
【００４８】
このように、実施例２の配電線路用臨時絶縁カバー２によれば、実施例１のカバー本体１０と異なり、カバー本体２０は電柱側Ｐ及び架線側Ｗの端部に開口部を覆うカバー部材（Ｃ，Ｄ）を有するので、配電線路設備をより確実に保護することができる。上述のように、カバー部材（Ａ，Ｂ，Ｃ，Ｄ）５つに対して、つまみＹを２つ使用することにより、カバー本体２０を配電線路１００に設置することができる。なお、取り外す際には上述した取付け作業と反対の工程で作業を行なえばよい。
【００４９】
実施例２の配電線路用臨時絶縁カバー２は、実施例１の配電線路用臨時絶縁カバー１による効果に加えて、以下のような効果がある。
まず、カバー本体２０は配電線路設備全体を包むように覆っているので、より確実に配電線路設備を保護することができる。また、カバー部材Ｄの一端側を錐体形状とすることによって、風による空気抵抗力を軽減して配電線路用臨時絶縁カバー２が外れてしまうのを防ぐことができる。また、カバー部材Ｄの架線側Ｗ端部やカバー部材Ｃにおいて、係止溝１７が途切れるように形成したことにより、つまみＹａ，Ｙｂがカバー本体２０から外れ落下してしまうことをより確実に防ぐことができる。
【００５０】
さらに、つまみＹａ，Ｙｂに屈曲部５４ｙを設けたことにより、活線工具によりつまみＹａ，Ｙｂをより多くの方向、角度から把持することが可能となり、作業者が作業し易くなっている。また、２つの取付溝１７に係止される基部５２を反対となるように配設すれば、つまみＹａ，Ｙｂ自体の向きを変えることもできる。高圧配電線路には縦引きものや横引きのものがあるが、このような構成とすることによって、容易に対応することが可能となる。さらに、作業空間が狭い場所等でも臨機応変に対応することができ、作業者の負担を軽減することができる。
【００５１】
なお、配電線路用臨時絶縁カバー２の各部材の形状、大きさ、構成等は、実施例１の配電線路用臨時絶縁カバー１と同様で、上述した実施例に限られない。
カバー部材Ｃ，Ｄは本体カバー部２０の端部を覆うものであればよい。つまみＹａ，Ｙｂの両端部に設けた各屈曲部５４ｙを同じ方向・角度に屈曲させたが、これに限らず、左右で違う方向、角度としてもよい。また、カバー部材Ｄの架線側Ｗの配電線１０１も保護する場合には、カバー部材Ｄの錐体部分の上底部に連結用の突起を設け、カバー部材Ａを小型化した形状の絶縁カバーを接続することもできる。
さらに、配電線路用臨時絶縁カバー２は、カバー本体２０を構成する部材として、カバー部材Ａとカバー部材Ｃや、カバー部材Ｂとカバー部材Ｄをそれぞれ一体化した形状のものを備えるようにしてもよい。
【実施例３】
【００５２】
図９は、配電線路１００の腕金９１の片側（左側）部分に実施例３の配電線路用臨時絶縁カバー３を取り付けた状態を示す概略正面図である。以下、実施例２の配電線路用臨時絶縁カバー２と同様の形状、構造については、同様の符号を付す等して重複する説明を省略し、異なる部分についてのみ説明する。
図９に示すように、配電線路１００の構成は実施例１，２と同様である。しかし、実施例３の配電線路用臨時絶縁カバー３は、実施例２の配電線路用臨時絶縁カバー２の引留クランプ９２を保護するカバー部材Ｂの代わりに、後述するカバー部材Ｂｚが連結されている。そして、配電線路用臨時絶縁カバー３は、カバー部材Ｂｚを使用することにより、つまみＹが配電線路１００の鉛直方向下側に位置するように取り付けられる点が、実施例２の配電線路用臨時絶縁カバー２と異なっている。
【００５３】
図１０は、実施例３の配電線路用臨時絶縁カバー３の引留クランプ９２を保護するカバー部材Ｂｚを示す概略図であり、（ａ）は電柱側Ｐ斜め上方から視認した状態を示す斜視図、（ｂ）は底面図である。
カバー部材Ｂｚは、実施例２のカバー部材Ｂと配電線１０１の縁回し線部分１０２を通すための構造が異なっている。カバー部材Ｂｚは、カバー部材Ｂに設けたヒンジ部１３の一端部を切り欠いた縁線用切欠部１８の代わりに、第一カバー部１１と第二カバー部１２の自由側端部１４の電柱側Ｐに略楕円形状の孔である縁線用孔１９を設けたものである。なお、カバー部材Ｂｚの第一カバー部１１及び第二カバー部１２の自由側端部１４の接触面は平面としているが、他のカバー部材Ａ等のように曲面としてもよい。
【００５４】
ここで、実施例３の配電線路用臨時絶縁カバー３の取付け方法及び取外し方法について説明する。図９に示すように、実施例３の配電線路１００も、実施例１，２と同様、２つの耐張碍子９３と１つの引留クランプ９２により電柱９０に支持されている。
まず、作業者はカバー部材Ａ２つ（Ａ１，Ａ２）、カバー部材Ｂｚ１つ、カバー部材Ｃ１つ、カバー部材Ｄ１つ、つまみＹ１つを用意する。
【００５５】
次に、カバー部材Ａ，Ｂｚ，Ｃ，Ｄのいずれか一つにつまみＹを取り付ける。そして、カバー部材Ｄ、カバー部材Ｂｚ、カバー部材Ａ２、カバー部材Ａ１、カバー部材Ｃの順に、各カバー部材（Ａ，Ｂｚ，Ｃ，Ｄ）のヒンジ部１３が一直線状となるように連結し、カバー本体３０を完成させる。
【００５６】
カバー本体３０を完成させた後に、カバー部材Ｄからカバー部材Ａ１まで、一直線状に繋がった係止溝１７の所望の位置につまみＹを移動させる。そして、活線工具によりつまみＹを把持して、カバー本体３０の第一カバー部１１と第二カバー部１２の自由側端部１４側を開口させ、配電線１０１の縁回し線部分１０２が縁線用孔１９内を通るように、配電線路設備に取り付ける。
図９に示すように、実施例３の配電線路用臨時絶縁カバー３は、縁線用孔１９が自由側端部１４側に形成されているので、保護対象である配電線路設備を下から覆うように取り付けられ、つまみＹは配電線１０１の鉛直方向下側にくるように取り付けられる。なお、取り外す際には上述した取付け作業と反対の工程で作業を行なえばよい。
【００５７】
実施例３の配電線路用臨時絶縁カバー３は、実施例１の配電線路用臨時絶縁カバー１による効果に加えて、以下のような効果がある。
配電線路用臨時絶縁カバー３では、カバー本体３０を完成させた状態で取り付けるので、一度の操作で配電線路設備全体を配電線路用臨時絶縁カバー３で包むように覆うことができる。実施例１，２の配電線路用臨時絶縁カバー１，２のように、配電線路設備に取り付けた後に、カバー部材（Ａ，Ｂ，Ｃ，Ｄ）を連結する必要がないので、作業者の作業負担が軽く、作業時間も短縮でき経済的である。
また、つまみＹを１つ取り付ければよく、設置環境に合わせて、予めカバー本体３０の長さ方向の任意の位置に配置することができる。
【００５８】
なお、配電線路用臨時絶縁カバー３の各部材の形状、大きさ、構成等は、実施例１，２の配電線路用臨時絶縁カバー１，２と同様で、上述した実施例に限られない。
縁線用孔１９は縁回し線部分１０２を通すことができればよい。例えば、縁線用孔１９を周方向に大きく切り欠いたものとすれば、カバー本体３０を取り付ける際に縁線用孔１９の位置が周方向にぶれてしまっても、容易に取り付けることができる。
【００５９】
また、実施例３では、つまみＹを１つだけ取り付けたが、個数を増やして複数の活線工具を使用して取り付けたり、つまみＹの基部５２の長手方向の長さを長くしてカバー本体３０がより確実に開閉するようにしてもよい。
配電線路設備に取り付けた状態でカバー部材を連結したり取り外したりする必要がないので、配電線路用臨時絶縁カバー１，２よりも強固に連結できるような構成とすることも望ましい。
【００６０】
なお、本発明は上述した発明の実施の形態に限定されず、部材を連結することにより配電線路設備の配設状況に適合するカバーを構成することができれば、図示したような構成に限定されず、本発明の要旨を逸脱しない範囲で種々変更できることは勿論である。
【産業上の利用可能性】
【００６１】
本発明の配電線路用臨時絶縁カバーは、配電線路設備の保護だけでなく、線状に設置された様々な設備の保護に利用することができる。
【符号の説明】
【００６２】
１，２，３  配電線路用臨時絶縁カバー
１０，２０，３０  カバー本体
１１，２１ｃ，２１ｄ  第一カバー部
１２，２２ｃ，２２ｄ  第二カバー部
Ａ（Ａ１，Ａ２），Ｂ，Ｂｚ，Ｃ，Ｄ  カバー部材
Ｘ（Ｘａ，Ｘｂ），Ｙ（Ｙａ，Ｙｂ）  つまみ
１３    ヒンジ部
１４    自由側端部
１５    連結用突起部
１６    連結用嵌合穴
１７    係止溝
１８    縁線用切欠部
１９      縁線用孔
２９      挿通孔
２９´    弾性部材
５１，５１ｙ  摘み板
５２    基部
５３    把持部
５４    屈折把持部
５４ｙ  屈曲部
５５    板ばね
９０    電柱
９１    腕金
９２    引留クランプ
９３    耐張碍子
９４    ピン碍子
１００  配電線路
１０１  配電線
１０２  縁回し線部分
Ｐ      電柱側
Ｗ      架線側
α      凸部
β      凹部
【図１】
2013143795.tif 000003
【図２】
2013143795.tif 000004
【図３】
2013143795.tif 000005
【図４】
2013143795.tif 000006
【図５】
2013143795.tif 000007
【図６】
2013143795.tif 000008
【図７】
2013143795.tif 000009
【図８】
2013143795.tif 000010
【図９】
2013143795.tif 000011
【図１０】
2013143795.tif 000012